(57)【特許請求の範囲】
【請求項１】
複数のケーブルと、
前記複数のケーブルのそれぞれの少なくとも両端部近傍に設けられた発光手段と、
前記複数のケーブルのそれぞれに設けられたタグと、
前記タグに設けられ、当該タグが設けられた前記ケーブルに設けられた前記発光手段を点灯するために当該発光手段に電力を供給するための電池と、
前記タグに設けられ、当該タグに設けられた前記電池から前記発光手段への電力の供給および供給の停止を制御し、当該タグに割り当てられた固有のタグ識別情報を記憶した接続先識別手段と、
入出力手段と、制御部と、送信手段と、記憶手段とを含む保守端末と
を備え、
前記制御部は、
前記ケーブル毎に、作業者が前記入出力手段から入力する、前記ケーブルに設けられた前記タグに割り当てられた前記タグ識別情報と、前記ケーブルの第１の端部が接続された接続先を示す第１の接続先情報と、前記ケーブルの第２の端部が接続された接続先を示す第２の接続先情報とを対応付けて前記記憶手段に記憶し、
ケーブル交換時に、前記記憶部に記憶された、前記タグ識別情報と、前記第１の接続先情報と、前記第２の接続先情報とを前記入出力手段に表示させ、交換対象のケーブルが接続された接続先を示す前記第１の接続先情報および前記第２の接続先情報に対応する前記タグ識別情報を前記作業者に特定させ、特定された前記タグ識別情報を含む点灯指示無線信号を前記送信手段に送信させ、
前記点灯指示無線信号に含まれる前記タグ識別情報と一致する前記タグ識別情報を記憶した前記接続先識別手段は、
当該接続先識別手段が設けられた前記タグに設けられた前記電池から、当該タグが設けられた前記ケーブルに設けられた前記発光手段に電力を供給して当該発光手段を発光させる
ことを特徴とするケーブル保守交換システム。
【請求項２】
前記接続先識別手段は、ＲＦＩＤチップと、スイッチとを含む
ことを特徴とする請求項１に記載のケーブル保守交換システム。
【請求項３】
ケーブル毎に、作業者が保守端末にから入力する、前記ケーブルに設けられたタグに割り当てられた固有のタグ識別情報と、前記ケーブルの第１の端部が接続された接続先を示す第１の接続先情報と、前記ケーブルの第２の端部が接続された接続先を示す第２の接続先情報とを対応付けて前記保守端末に記憶するタグ情報記憶ステップと、
ケーブル交換時に、前記保守端末に記憶された、前記タグ識別情報と、前記第１の接続先情報と、前記第２の接続先情報とを前記保守端末に表示し、交換対象のケーブルが接続された接続先を示す前記第１の接続先情報および前記第２の接続先情報に対応する前記タグ識別情報を前記作業者に特定させ、特定された前記タグ識別情報を含む点灯指示無線信号を前記保守端末から送信させる点灯指示送信ステップと、
前記点灯指示無線信号に含まれる前記タグ識別情報と一致する、自身に割り当てられた前記タグ識別情報を記憶した前記タグに設けられた電池から、当該タグが設けられた前記ケーブルの少なくとも両端近傍に設けられた発光手段に電力を供給して当該発光手段を発光させる発光ステップと
を含むことを特徴とするケーブル保守交換方法。
【発明の詳細な説明】
【技術分野】
【０００１】
本発明は、ケーブル保守交換システムおよびケーブル保守交換方法に関し、特に、交換対象のケーブルを容易に確認できるケーブル保守交換システムおよび方法に関する。
【背景技術】
【０００２】
複数の装置に設けられた複数のコネクタ間を多数のケーブルで相互に接続するシステムが知られている。
【０００３】
特許文献１には、機器に接続される各ケーブルに沿って所定の間隔で設けられた複数の発光部を各ケーブルのコネクタ部に設けられたスイッチを操作して発光させることで、交換すべきケーブルを容易に特定できる技術が記載されている。
【０００４】
さらに、特許文献２には、複数の対象物のそれぞれにＩＣタグを設け、各対象物のＩＣタグに照射装置からレーザ光等の電磁波を照射し、電磁波を照射されたＩＣタグが発信する識別情報を管理装置が受信し、受信した識別情報と、事前に管理装置に記憶された各対象物が作業対象か否かの情報とから、管理装置が、当該識別情報を発信したＩＣタグが設けられた対象物が次の作業対象か否かを判断し、当該対象物が次の作業対象の場合には、当該ＩＣタグの発光部を点灯させることにより、正確な順序で対象物に対する作業を進めるための技術が記載されている。
【０００５】
また、関連技術として、特許文献３には、サーバ装置側およびケーブル側の両方のコネクタに接続相手先情報を記憶させた無線タグを貼り付け、両者の情報が一致する場合に、ＩＣタグのＬＥＤを点灯させ、ケーブルの誤接続を防ぐための技術が記載されている。
【先行技術文献】
【特許文献】
【０００６】
【特許文献１】特開２０１２−０９０４１４号公報
【特許文献２】特開２０１４−１１５７３０号公報
【特許文献３】特開２００６−２６８２７９号公報
【発明の概要】
【発明が解決しようとする課題】
【０００７】
しかしながら、特許文献１記載の技術では、各ケーブルと該ケーブルが接続された機器のコネクタとの対応関係を示す仕様書等を人間が確認しなければ、交換すべきケーブルを特定できないという問題点がある。さらに、特許文献１記載の技術では、機器の電源が投入されていないと、発光部を発光させることができないという問題点もある。
【０００８】
また、特許文献２には、対象物がケーブルであった場合に、当該ケーブルに沿って発光部を設けることについては何ら記載されていないので、多数のケーブルがまとめて結束されている場合に、ケーブルの交換作業における作業性が悪いという問題点がある。さらに、特許文献２の技術では、対象物に対する作業を行う前に、当該対象物に設けられたＩＣタグにレーザ光等の電磁波を照射するという処理が必要であるという問題点もある。
【０００９】
なお、特許文献３には、ケーブルを効率的に交換する技術については何ら記載されていない。
【００１０】
本発明の目的は、上述した問題点を解決できるケーブル保守交換システムおよびケーブル保守交換方法を提供することにある。
【課題を解決するための手段】
【００１１】
本発明のケーブル保守交換システムは、
複数のケーブルと、
前記複数のケーブルのそれぞれの少なくとも両端部近傍に設けられた発光手段と、
前記複数のケーブルのそれぞれに設けられたタグと、
前記タグに設けられ、当該タグが設けられた前記ケーブルに設けられた前記発光手段を点灯するために当該発光手段に電力を供給するための電池と、
前記タグに設けられ、当該タグに設けられた前記電池から前記発光手段への電力の供給および供給の停止を制御し、当該タグに割り当てられた固有のタグ識別情報を記憶した接続先識別手段と、
入出力手段と、制御部と、送信手段と、記憶手段とを含む保守端末と
を備え、
前記制御部は、
前記ケーブル毎に、作業者が前記入出力手段から入力する、前記ケーブルに設けられた前記タグに割り当てられた前記タグ識別情報と、前記ケーブルの第１の端部が接続された接続先を示す第１の接続先情報と、前記ケーブルの第２の端部が接続された接続先を示す第２の接続先情報とを対応付けて前記記憶手段に記憶し、
ケーブル交換時に、前記記憶部に記憶された、前記タグ識別情報と、前記第１の接続先情報と、前記第２の接続先情報とを前記入出力手段に表示させ、交換対象のケーブルが接続された接続先を示す前記第１の接続先情報および前記第２の接続先情報に対応する前記タグ識別情報を前記作業者に特定させ、特定された前記タグ識別情報を含む点灯指示無線信号を前記送信手段に送信させ、
前記点灯指示無線信号に含まれる前記タグ識別情報と一致する前記タグ識別情報を記憶した前記接続先識別手段は、
当該接続先識別手段が設けられた前記タグに設けられた前記電池から、当該タグが設けられた前記ケーブルに設けられた前記発光手段に電力を供給して当該発光手段を発光させる。
【００１２】
また、本発明のケーブル保守交換方法は、
ケーブル毎に、作業者が保守端末にから入力する、前記ケーブルに設けられたタグに割り当てられた固有のタグ識別情報と、前記ケーブルの第１の端部が接続された接続先を示す第１の接続先情報と、前記ケーブルの第２の端部が接続された接続先を示す第２の接続先情報とを対応付けて前記保守端末に記憶するタグ情報記憶ステップと、
ケーブル交換時に、前記保守端末に記憶された、前記タグ識別情報と、前記第１の接続先情報と、前記第２の接続先情報とを前記保守端末に表示し、交換対象のケーブルが接続された接続先を示す前記第１の接続先情報および前記第２の接続先情報に対応する前記タグ識別情報を前記作業者に特定させ、特定された前記タグ識別情報を含む点灯指示無線信号を前記保守端末から送信させる点灯指示送信ステップと、
前記点灯指示無線信号に含まれる前記タグ識別情報と一致する、自身に割り当てられた前記タグ識別情報を記憶した前記タグに設けられた電池から、当該タグが設けられた前記ケーブルの少なくとも両端近傍に設けられた発光手段に電力を供給して当該発光手段を発光させる発光ステップと
を含む。
【発明の効果】
【００１３】
本発明には、ケーブル交換作業を効率的に行うことができるという効果がある。
【図面の簡単な説明】
【００１４】
【図１】本発明の実施形態を示すブロック図である。
【図２】タグ２００の構成を示すブロック図である。
【図３】保守端末３００の構成を示すブロック図である。
【図４】タグデータ表３１０を示す図である。
【図５】ケーブル保守交換処理の動作を示すフローチャートである。
【発明を実施するための形態】
【００１５】
次に、本発明の実施形態について図面を参照して詳細に説明する。
【００１６】
図１は本発明の実施形態を示すブロック図である。
【００１７】
図１を参照すると、本実施形態は、架（以下、「ラック」と言う。）１と、ラック１に搭載された５台の電子機器１１〜１５と、電子機器１１および１４にそれぞれ設けられたコネクタ２１および２４と、電子機器１１と電子機器１４とを接続するケーブル１００と、ケーブル１００に沿って設けられた複数の発光手段（例えば、発光ダイオード）１０１と、ケーブル１００の一端に設けられ、コネクタ２１と接続されたコネクタ１０３と、ケーブル１００の他端に設けられ、コネクタ２４と接続されたコネクタ１０４と、ケーブル１００の一端近傍に設けられたタグ２００と、保守端末３００とから構成される。
【００１８】
ケーブル１００は、信号を伝送するための芯線と、該芯線を覆う被覆とから構成されている。
【００１９】
また、タグ２００と各発光手段１０１とは発光手段接続線１０２で接続される。
【００２０】
なお、コネクタ２１および２４以外にも、電子機器１１〜１５には多数の他のコネクタが設けられており、ケーブル１００以外にも、それらの他のコネクタ間を接続する多数の他のケーブルが存在するが、それらの他のコネクタおよび他のケーブルは、図面の煩雑化を避けるために、図１には示していない。また、それらの他のケーブルにもケーブル１００と同様にタグ、発光手段および発光手段接続線が設けられている。
【００２１】
図２はタグ２００の構成を示すブロック図である。
【００２２】
図２を参照すると、タグ２００は、接続先識別手段２０１と、小型電池２０２とを含み、接続先識別手段２０１は発光手段接続線１０２に接続される。
【００２３】
接続先識別手段２０１は、保守端末３００からの無線信号を受信したり、保守端末に無線信号を送信したりするとともに、発光手段接続線１０２への電力の供給を制御する。さらに、接続先識別手段２０１は、タグ２００を識別するタグ識別情報を記憶している。
【００２４】
ここで、タグ識別情報はタグ２００に割り当てられる固有の識別情報であり、タグ２００の製造時に、タグ２００に割り当てられたタグ識別情報が、タグ２００に設けられた接続先識別手段２０１に記憶されるとともに、人間が視認できるようにタグ２００の表面等に印刷や刻印等により付与される。
【００２５】
また、接続先識別手段２０１は、例えば、ＲＦＩＤ（ｒａｄｉｏ  ｆｒｅｑｕｅｎｃｙ  ｉｄｅｎｔｉｆｉｅｒ）チップおよびスイッチから構成できる。
【００２６】
図３は保守端末３００の構成を示すブロック図である。
【００２７】
図３を参照すると、保守端末３００は、入出力手段３０１と、制御手段３０２と、タグデータ表３１０を記憶した記憶手段３０３と、送受信手段３０４とを備える。
【００２８】
入出力手段３０１は、操作者が情報を入力するためのキーボード等と、情報を表示するための表示画面とを備える。
【００２９】
送受信手段３０４は、タグ２００の接続先識別手段２０１からの無線信号を受信したり、接続先識別手段２０１に無線信号を送信したりする。
【００３０】
次に、本実施形態の動作について詳細に説明する。
【００３１】
まず、タグデータ表について説明する。
【００３２】
図４は、タグデータ表３１０を示す図である。
【００３３】
図４を参照すると、タグデータ表３１０は、各タグに割り当てられた上記タグ識別情報が登録されるタグ識別欄と、タグ識別欄に登録された各タグ識別情報を割り当てられたタグが設けられたケーブルの第１の端部の接続先を示す第１の接続先情報が登録された第１の接続先情報欄と、タグ識別欄に登録された各タグ識別情報を割り当てられたタグが設けられたケーブルの第２の端部の接続先を示す第２の接続先情報が登録された第２の接続先情報欄とを含む。
【００３４】
本実施形態では、第１および第２の接続先情報のそれぞれは、各電子機器を識別する機器識別情報と、各コネクタを識別するコネクタ識別情報とを有する。
【００３５】
今、作業者が、タグ識別情報として「１００１」が割り当てられたタグ２００が設けられたケーブル１００の第１の端部に設けられたコネクタ１０３と電子機器１１のコネクタ２１とを接続するともに、ケーブル１００の第２の端部に設けられたコネクタ１０４と電子機器１４のコネクタ２４とを接続したとすると、作業者は、タグ２００の表面に付与されたタグ識別情報と、電子機器１１を識別する機器識別情報と、コネクタ２１を識別するコネクタ識別情報と、電子機器１４を識別する機器識別情報と、コネクタ２４を識別するコネクタ識別情報とを、保守端末３００の入出力手段３０１から入力する。
【００３６】
入力手段３０１は入力されたこれらの情報を制御部３０２に渡す。
【００３７】
保守端末３００の制御手段３０２は、渡された情報をタグデータ表３１０に登録する。
【００３８】
すなわち、タグデータ表３１０のタグ識別欄に、タグ２００の表面に付与されたタグ識別情報が、第１の接続先情報欄に、電子機器１１を識別する機器識別情報とコネクタ２１を識別するコネクタ識別情報とからなる第１の接続先情報が、第２の接続先情報欄に、電子機器１４を識別する機器識別情報とコネクタ２４を識別するコネクタ識別情報とからなる第２の接続先情報が、相互に対応付けられて登録される。
【００３９】
以後、他のケーブルを接続する毎に、同様の入力作業およびタグデータ表３１０への登録動作が実行される。
【００４０】
図５は、ケーブル保守交換時の動作を示すフローチャートである。
【００４１】
図５を参照すると、まず、作業者は、入出力手段３０１から、記憶手段３０３に記憶されているタグデータ表３１０の表示を制御手段３０２に指示する。当該指示に応答して、制御手段３０２は、タグデータ表３１０を入出力手段３０１に表示する。（ステップＳ１００）
次に、作業者は、タグデータ表３１０の第１の接続先情報欄および第２の接続先情報欄にそれぞれ登録されている第１の接続先情報および第２の接続先情報を参照し、交換対象のケーブルが接続された接続先に対応する第１の接続先情報および第２の接続先情報を特定する（ステップＳ１０１）。
【００４２】
次に、作業者は、ステップＳ１０１で特定した第１の接続先情報および第２の接続先情報と対付けてタグデータ表３１０のタグ識別欄に登録されたタグ識別情報を入出力手段３０１から入力し、制御手段３０２は、入力されたタグ識別情報を含んだ発光手段点灯指示無線信号を、送受信手段３０４を介して、全てのタグに設けられた接続先識別手段２０１に送信する。（ステップＳ１０２）
各タグに設けられた接続先識別手段２０１は、発光手段点灯指示無線信号を受信すると、当該信号に含まれるタグ識別情報と、自身が記憶しているタグ識別情報とを比較する。比較の結果、当該信号に含まれるタグ識別情報と、自身が記憶しているタグ識別情報とが一致している場合には、接続先識別手段２０１は、小型電池２０２から発光手段接続線１０２に電力を供給し、発光手段接続線１０２に接続された各発光手段を点灯させる。（ステップＳ１０３）
こうして、作業者は、点灯した発光手段が設けられたケーブルが交換対象のケーブルであることを容易に確認することができる。
【００４３】
なお、複数のラックが存在する場合には、タグデータ表３１０の第１の接続先情報欄および第２の接続先情報欄に登録する第１の接続先情報および第２の接続先情報に、ラックを識別する情報を含めてもよい。
【００４４】
また、本実施形態では、ケーブルに沿って複数の発光手段が設けられているが、ケーブルの両端部近傍のみに発光手段が設けられていてもよい。
【００４５】
以上、本実施形態には、ケーブル交換作業を効率的に行うことができるという効果がある。
【００４６】
その理由は、各ケーブルを電子機器に接続する時に、ケーブルに設けられたタグに割り当てられたタグ識別情報と、ケーブルの接続先を示す第１の接続先情報および第２の接続先情報とを対応づけて記憶しておくようにしたからである。
【符号の説明】
【００４７】
１    ラック
１１    電子機器
１２    電子機器
１３    電子機器
１４    電子機器
１５    電子機器
２１    コネクタ
２４    コネクタ
１００    ケーブル
１０１    発光手段
１０２    発光手段接続線
１０３    コネクタ
１０４    コネクタ
２００    タグ
２０１    接続先識別手段
２０２    小型電池
３００    保守端末
３０１    入出力手段
３０２    制御手段
３０３    記憶手段
３０４    送受信手段
３１０    タグデータ表
【図１】
0006375763.tif 000002
【図２】
0006375763.tif 000003
【図３】
0006375763.tif 000004
【図４】
0006375763.tif 000005
【図５】
0006375763.tif 000006